(57)【要約】      （修正有）【課題】就職・入学志願者等の縁結びの祈願・祈念の想いを、外見上見えない態様で、志願する企業・団体・学校等に届けることができる、御守付き両面シール、貼付用御守付き写真印刷用紙および貼付用御守付きハガキまたは封筒を提供する。【解決手段】御守付き両面シール１ａは、シール基材２と、御守部３、粘着部４ａ，４ｂで構成されており、粘着部は剥離紙５ａ，５ｂで覆われている。御守部は、願い事に関する文字や縁起物の絵柄を印刷ないし記載その他の方法によって表示するためのものであり、シール基材の表面に設けられている。粘着部は、御守付き両面シールを写真６および履歴書７等に接着させるためのものであり、御守部の上およびシール基材の裏面に設けられる。【選択図】図３
0003197116.tif 000002
【実用新案登録請求の範囲】
【請求項１】
接着剤が両面に塗布された接着部を有する両面シールであって、前記両面シールの片面または両面に縁結び等の願い事の祈願・祈念に係わる文字および／または絵柄が表示されている御守部を備えてなる御守付き両面シール。
【請求項２】
履歴書等に写真を貼るために接着剤が両面に塗布された接着部を有する両面シールであって、前記両面シールの片面または両面に縁結び等の願い事の祈願・祈念に係わる文字および／または絵柄が表示されている御守部を備えてなる写真貼付用御守付き両面シール。
【請求項３】
ハガキまたは封筒に切手を貼るために接着剤が両面に塗布された接着部を有する両面シールであって、前記両面シールの片面または両面に縁結び等の願い事の祈願・祈念に係わる文字および／または絵柄が表示されている御守部を備えてなる切手貼付用御守付き両面シール。
【請求項４】
感光紙等の写真印刷用紙であって、前記写真印刷用紙の裏面に縁結び等の願い事の祈願・祈念に係わる文字および／または絵柄が表示されている御守部を設け、前記御守部の上に接着剤を塗布した接着部を設け、前記接着部が剥離紙で覆われてなる貼付用御守付き写真印刷用紙。
【請求項５】
ハガキまたは封筒であって、前記ハガキまたは封筒の切手貼付部に縁結び等の願い事の祈願・祈念に係わる文字および／または絵柄が表示されている御守部を設け、前記御守部の上に接着剤を塗布した接着部を設け、前記接着部が剥離紙で覆われてなる貼付用御守付きハガキまたは封筒。
【考案の詳細な説明】
【技術分野】
【０００１】
本考案は、履歴書等に写真を貼付したり、ハガキや封筒に切手を貼付したりするための御守付き両面シール等に関するものである。
【背景技術】
【０００２】
就職や入学に際しては、「Ａ社に就職したい」、「Ｂ学校に入学したい」という、企業・団体・会社との縁結びの願いが伴うが、願い事を成就させるための御守は、通常、祈願・祈念する人が所持するものであり、御守以外のものであっても、例えば、携帯通信機器および携帯用パソコン用立体シール型お守り（特許文献１）ように、あくまで祈願・祈念する人が携帯するものであって、縁結びの祈願・祈念の想いを縁結びを希望する相手に届けることはできないという問題がある。
【先行技術文献】
【特許文献】
【０００３】
【特許文献１】実用新案登録第３０９４０１２号公報
【０００４】
また、縁結びの祈願・祈念の想いを相手に届けるために、仮に特許文献１の携帯用パソコン用立体シール型お守りを利用して履歴書等に貼付して届けると、立体シール型の御守が企業・団体・学校の担当者に見られてしまうという問題がある。
【考案の概要】
【考案が解決しようとする課題】
【０００５】
そこで、本考案は、このような問題点を解決するためになされたものであって、就職・入学志願者等の縁結びの祈願・祈念の想いを、外見上見えない態様で、縁結びを志願する企業・団体・学校等に届けることができる、御守付き両面シール、貼付用御守付き写真印刷用紙および貼付用御守付きハガキまたは封筒を提供することを目的としている。
【課題を解決するための手段】
【０００６】
本考案にかかる御守付き両面シールは、接着剤が両面に塗布された接着部を有する両面シールであって、前記両面シールの片面または両面に縁結び等の願い事の祈願・祈念に係わる文字および／または絵柄が表示されている御守部を備えている。
【０００７】
また、本考案にかかる写真貼付用御守付き両面シールは、履歴書等に写真を貼るために接着剤が両面に塗布された接着部を有する両面シールであって、前記両面シールの片面または両面に縁結び等の願い事の祈願・祈念に係わる文字および／または絵柄が表示されている御守部を備えている。
【０００８】
さらに、本考案にかかる切手貼付用御守付き両面シールは、ハガキまたは封筒に切手を貼るために接着剤が両面に塗布された接着部を有する両面シールであって、前記両面シールの片面または両面に縁結び等の願い事の祈願・祈念に係わる文字および／または絵柄が表示されている御守部を備えている。
【０００９】
また、本考案にかかる写真印刷用紙は、感光紙等の写真印刷用紙であって、前記写真印刷用紙の裏面に縁結び等の願い事の祈願・祈念に係わる文字および／または絵柄が表示されている御守部を設け、前記御守部の上に接着剤を塗布した接着部を設け、前記接着部が剥離紙で覆われている。
【００１０】
さらに、本考案にかかるハガキまたは封筒は、ハガキまたは封筒であって、前記ハガキまたは封筒の切手貼付部に縁結び等の願い事の祈願・祈念に係わる文字および／または絵柄が表示されている御守部を設け、前記御守部の上に接着剤を塗布した接着部を設け、前記接着部が剥離紙で覆われている。
【考案の効果】
【００１１】
本考案の御守付き両面シール、貼付用御守付き写真印刷用紙および貼付用御守付きハガキまたは封筒によれば、就職・入学志願者等の縁結びの祈願・祈念の想いを、外見上見えない態様で、縁結びを志願する企業・団体・学校等に届けることができる。
【図面の簡単な説明】
【００１２】
【図１】本実施形態の御守付き両面シールの一実施形態を示す平面図である。
【図２】（ａ）は図１の写真貼付用御守付き両面シールに剥離紙が貼付された状態から剥離紙を剥がす状態を示す図、（ｂ）は剥離紙を剥がした写真貼付用御守付き両面シールを履歴書・願書に貼付した後、写真を貼付する状態を示す図である。
【図３】（ａ）は図２（ａ）のＡ−Ａ線拡大断面図、（ｂ）は図２（ｂ）のＢ−Ｂ線拡大断面図である。
【図４】本実施形態の貼付用御守付き写真印刷用紙の一実施形態を示す平面図である。
【図５】図４のＣ−Ｃ線拡大断面図である。
【図６】本実施形態の貼付用御守付きハガキまたは封筒の一実施形態を示す平面図である。
【図７】図６のＤ−Ｄ線拡大断面図である。
【考案を実施するための形態】
【００１３】
以下、本考案に係る御守付き両面シール、貼付用御守付き写真印刷用紙および貼付用御守付きハガキまたは封筒の一実施形態について図面を用いて説明する。
【００１４】
なお、本考案において、シールとは、裏面または両面の全部又は一部に粘着材を塗布したシート状のものであって、樹脂製や紙製等のあらゆる素材により構成されているものを含む概念である。願い事とは、就職や入学に際しての企業・団体・会社との縁結びの願いのほか、恋愛、結婚、友人等の縁結びの願い、事業や学業の成功に関する願い、くじなどの当選に関する願いなどのあらゆる願い事を含む概念である。祈願とは願い事が成就するよう祈り願うこと、祈念とは願いがかなうように祈ることであって、祈願・祈念は、神社、仏閣だけでなく、建造物、自然物、現象等あらゆるものに対して祈ることを含む概念である。
【００１５】
また、写真印刷用紙とは、印画紙等の感光塗料が塗られた感光紙のほか、感光塗料が塗られていない紙であって写真が印刷可能な紙を含み、インクジェット印刷やレーザー印刷など印刷方法を問わない概念である。ハガキ・封筒とは、あらゆる形状を含み、また、紙に限らずあらゆる素材により構成されているものを含む概念である。
【００１６】
第１実施形態：「御守付き両面シール」
本第１実施形態における御守付き両面シール１ａは、図１ないし図３に示すように、主として、シール基材２と、御守部３、粘着部４ａ，４ｂで構成されており、本第１実施形態においては、粘着部４ａ，４ｂは剥離紙５ａ，５ｂで覆われている。以下、各構成について説明する。
【００１７】
シール基材２は、御守部３および粘着部４ａ，４ｂの土台となるものである。シール基材２の形状・大きさは、写真、履歴書・願書の写真欄、切手や切手欄の形状・大きさ等の貼付位置に応じてに適宜変更される。また、シール基材２の材質は、御守部３が印刷ないし記載可能であって、接着剤を塗布して粘着部４ａ，４ｂを形成することができるものであればよく、本第１実施形態では紙で構成されている。
【００１８】
御守部３は、願い事に関する文字や縁起物の絵柄を印刷ないし記載その他の方法によって表示するためのものであり、シール基材２の表面に設けられている。御守部３に表示される文字や絵柄は願い事や縁起物に応じて適宜変更可能であり、色やデザインも適宜変更可能である。
【００１９】
粘着部４ａ，４ｂは、本第１実施形態の御守付き両面シール１ａを写真および履歴書、切手等に接着させるためのものであり、シール基材２の表面の御守部３の上およびシール基材２の裏面に設けられる。粘着部４ａ，４ｂの形状および大きさは、写真（切手）６および履歴書・願書（ハガキ・封筒）７から剥離・脱落しないものであればよく、本実施形態では、シール基材２の表面や裏面の全面となっているが、シール基材２の表面や裏面の一部であってもよく、その形状も適宜変更可能である。粘着部４ａ，４ｂは、主に粘着材で構成されており、当該粘着材は御守付き両面シール１ａが写真（切手）６および履歴書・願書（ハガキ・封筒）７から剥離・脱落しない粘着力を有するものであればよい。例えば、シリコン系粘着材が挙げられるが、シール基材２、写真（切手）６および履歴書・願書（ハガキ・封筒）７の材質によって適宜変更可能である。
【００２０】
剥離紙５ａ，５ｂは、粘着部４ａ，４ｂを覆って、粘着部４ａ，４ｂを接着させないようにするためのものであり、粘着部４の上に貼付される。剥離紙５ａ，５ｂの形状および大きさは粘着部４ａ，４ｂを覆うものであればよく、本第１実施形態では粘着部４ａ，４ｂがシール基材２の表面および裏面の全面に設けられているため、シール基材２と同じ形状であるが、粘着部４ａ，４ｂの形状および大きさに応じて適宜変更可能である。
【００２１】
第２実施形態：「貼付用御守付き写真印刷用紙」
本発明の第２実施形態として貼付用御守付き写真印刷用紙１ｂについて説明する。なお、上述した第１実施形態で説明した構成と同一ないし同等な構成に関する再度の説明は省略する。
【００２２】
本第２実施形態の貼付用御守付き写真印刷用紙１ｂは、図４および図５に示すように、主として、写真印刷用紙８と、御守部３、粘着部４ｂとから構成されており、本第２実施形態においては、粘着部４ｂは剥離紙５ｂで覆われている。
【００２３】
写真印刷用紙８は、御守部３および粘着部４ｂの土台となるものである。写真印刷用紙８の形状・大きさは、写真、履歴書や願書の写真欄の形状・大きさに応じてに適宜変更される。また、写真印刷用紙８の材質は、写真および御守部３が印刷ないし記載可能であって、接着剤を塗布して粘着部４ｂを形成し、履歴書等に貼付することができるものであればよく、本実施形態では感光塗料が塗られた感光紙で構成されている。
【００２４】
御守部３は、写真印刷用紙８の裏面に印刷ないし記載その他の方法により表示されており、御守部３の上に粘着部４ｂが設けられる。
【００２５】
第３実施形態：「貼付用御守付きハガキまたは封筒」
本発明の第３実施形態として貼付用御守付きハガキまたは封筒１ｃについて説明する。なお、上述した第１実施形態および第２実施形態において既に説明した構成と同一ないし同等の構成については再度の説明を省略する。
【００２６】
本第３実施形態の貼付用御守付きハガキまたは封筒１ｃは、図６および図７に示すように、主として、切手貼付部９を有するハガキ・封筒７と、御守部３、粘着部４ａとから構成されており、本実施形態においては、粘着部４ａは剥離紙５ａで覆われている。
【００２７】
ハガキ・封筒７は、御守部３および粘着部４ａの土台となるものである。ハガキ・封筒７は、切手貼付部９を備えており、通常は矩形であるが、形状や大きさは適宜変更される。また、ハガキ・封筒７の材質は、御守部３が印刷ないし記載可能であって、接着剤を塗布して粘着部４ａを形成することができるものであればよく、本実施形態では紙で構成されている。
【００２８】
切手貼付部９は、切手を貼付するためのものであって、ハガキ・封筒７の表面または裏面に設けられる。切手貼付部９の形状・大きさは切手の形状・大きさに応じて適宜変更される。
【００２９】
御守部３は、切手貼付部９に印刷ないし記載その他の方法により表示されており、前記御守部３の上に粘着部４ａが設けられる。
【００３０】
つぎに、本実施形態に係る御守付き両面シール１ａ、貼付用御守付き写真印刷用紙１ｂおよび貼付用御守付きハガキまたは封筒１ｃによる作用について、図１ないし図７を参照しつつ説明する。なお、御守付き両面シール１ａについては、写真貼付用御守付き両面シールとして使用した場合と、切手貼付用御守付き両面シールとして使用した場合とに分けて説明する。
【００３１】
「写真貼付用御守付き両面シール」
本第１実施形態の御守付き両面シール１ａを写真貼付用御守付き両面シールとして使用する場合、剥離紙５ａを剥がし、粘着部４ａによって写真６を接着させる。つぎに、剥離紙５ｂを剥がし、粘着部４ｂによって履歴書・願書７に接着させる。これにより、御守部３が写真６によって見えなくなり、外見上、御守部３が見えない状態で、就職・入学志願者の縁結びの祈願・祈念の想いを縁結びを志願する企業・団体・学校に届けることができる。
【００３２】
「切手貼付用御守付き両面シール」
本第１実施形態の御守付き両面シール１ａを切手貼付用御守付き両面シールとして使用する場合、剥離紙５ａを剥がし、粘着部４ａによって切手６を接着させる。つぎに、剥離紙５ｂを剥がし、粘着部４ｂによってハガキ・封筒７の切手貼付部１０に接着させる。これにより、御守部３が切手６によって見えなくなり、外見上、御守部３が見えない状態で、履歴書等を送付する封筒、結婚式の出欠ハガキや懸賞の応募に使用するハガキ等に、縁結びや当選に関する想いを志願先や応募先等に届けることができる。
【００３３】
「貼付用御守付き写真印刷用紙」
本第２実施形態の写真印刷用紙１ｂを使用する場合、写真印刷用紙１ｂに写真を印刷した後、剥離紙５ｂを剥がし、粘着部４ｂによって履歴書・願書７に接着させる。これにより、御守部３が履歴書・願書７によって見えなくなり、外見上、御守部３が見えない状態で、就職・入学志願者の縁結びの祈願・祈念の想いを縁結びを志願する企業・団体・学校に届けることができる。
【００３４】
「貼付用御守付きハガキまたは封筒」
本第３実施形態の貼付用御守付きハガキまたは封筒１ｃを使用する場合、剥離紙５ａを剥がし、粘着部４ａによって切手６に接着させる。これにより、御守部３が切手６によって見えなくなり、外見上、御守部３が見えない状態で、縁結びや当選に関する想いを志願先や応募先等に届けることができる。
【００３５】
上述した本各実施形態に係る御守付き両面シール１ａ、貼付用御守付き写真印刷用紙１ｂおよび貼付用御守付きハガキまたは封筒１ｃは、使用前にご利益のある神社、仏閣、自然物、建造物等において祈祷されることが望ましい。祈祷された本各実施形態に係る御守付き両面シール１ａ、貼付用御守付き写真印刷用紙１ｂおよび貼付用御守付きハガキまたは封筒１ｃを使用する就職・入学志願者は、遠方であったり時間がないなどの理由で直接お参りができない神社、仏閣、自然物、建造物等のご利益を手軽に受けることができる。他方、神社、仏閣、自然物、建造物等は、本各実施形態に係る御守付き両面シール１ａ、貼付用御守付き写真印刷用紙１ｂおよび貼付用御守付きハガキまたは封筒１ｃを通じて、より多くの就職・入学志願者に知られることになるため、御守付き両面シール１ａ、貼付用御守付き写真印刷用紙１ｂおよび貼付用御守付きハガキまたは封筒１ｃは、神社、仏閣、自然物、建造物等が所在する地域の地域おこしのツールとして利用することができる。
【００３６】
また、本各実施形態に係る御守付き両面シール１ａ、貼付用御守付き写真印刷用紙１ｂおよび貼付用御守付きハガキまたは封筒１ｃは、自身や恋人、家族、ペット等の写真を貼り、メッセージカードに貼付して相手に送ったり、御守として携帯することもできる。
【００３７】
以上のように、本各実施形態によれば、就職・入学志願者等の縁結びの祈願・祈念の想いを、外見上見えない態様で、送付先の企業・団体・学校等に知られることなく、縁結びを希望する企業・団体・学校等に届けることができる。
【００３８】
なお、本考案に係る御守付き両面シール１ａ、貼付用御守付き写真印刷用紙１ｂおよび貼付用御守付きハガキまたは封筒１ｃは、前述した各実施形態に限定されるものではなく、適宜変更することができる。例えば、本実施態様においては、御守付き両面シール１ａの御守部３をシール基材２の表面側に設けたが、御守部３をシール基材２の裏面側ないし両面に設けてもよい。また、複数枚の切手がシート上に配置されてなる切手シートに対し、各切手の裏面に御守部が表示されるように構成してもよい。
【符号の説明】
【００３９】
１ａ  御守付き両面シール
１ｂ  貼付用御守付き写真印刷用紙
１ｃ  貼付用御守付きハガキまたは封筒
２  シール基材
３  御守部
４ａ  粘着部
４ｂ  粘着部
５ａ  剥離紙
５ｂ  剥離紙
６  写真（切手）
７  履歴書・願書（ハガキ・封筒）
８  写真印刷用紙
９  切手貼付部
【図１】
0003197116.tif 000003
【図３】
0003197116.tif 000004
【図４】
0003197116.tif 000005
【図５】
0003197116.tif 000006
【図６】
0003197116.tif 000007
【図７】
0003197116.tif 000008
【図２】
0003197116.tif 000009
【手続補正書】
【提出日】平成27年2月17日(2015.2.17)
【手続補正１】
【補正対象書類名】実用新案登録請求の範囲
【補正対象項目名】全文
【補正方法】変更
【補正の内容】
【実用新案登録請求の範囲】
【請求項１】
接着剤が両面に塗布された接着部を有する両面シールであって、前記両面シールの片面または両面に縁結び等の願い事の祈願・祈念に係わる文字および／または絵柄が表示されている御守部を備えてなる御守付き両面シール。
【請求項２】
履歴書等に写真を貼るために接着剤が両面に塗布された接着部を有する両面シールであって、前記両面シールの片面または両面に縁結び等の願い事の祈願・祈念に係わる文字および／または絵柄が表示されている御守部を備えてなる写真貼付用御守付き両面シール。
【請求項３】
ハガキまたは封筒に切手を貼るために接着剤が両面に塗布された接着部を有する両面シールであって、前記両面シールの片面または両面に縁結び等の願い事の祈願・祈念に係わる文字および／または絵柄が表示されている御守部を備えてなる切手貼付用御守付き両面シール。
【請求項４】
感光紙等の写真印刷用紙の裏面に縁結び等の願い事の祈願・祈念に係わる文字および／または絵柄が表示されている御守部を設け、前記御守部の上に接着剤を塗布した接着部を設け、前記接着部が剥離紙で覆われてなる貼付用御守付きシール。
【請求項５】
ハガキまたは封筒の切手貼付部に縁結び等の願い事の祈願・祈念に係わる文字および／または絵柄が表示されている御守部を設け、前記御守部の上に接着剤を塗布した接着部を設け、前記接着部が剥離紙で覆われてなる貼付用御守シール付きハガキまたは封筒。
【手続補正２】
【補正対象書類名】明細書
【補正対象項目名】全文
【補正方法】変更
【補正の内容】
【考案の詳細な説明】
【技術分野】
【０００１】
本考案は、履歴書等に写真を貼付したり、ハガキや封筒に切手を貼付したりするための御守付き両面シール等に関するものである。
【背景技術】
【０００２】
就職や入学に際しては、「Ａ社に就職したい」、「Ｂ学校に入学したい」という、企業・団体・会社との縁結びの願いが伴うが、願い事を成就させるための御守は、通常、祈願・祈念する人が所持するものであり、御守以外のものであっても、例えば、携帯通信機器および携帯用パソコン用立体シール型お守り（特許文献１）ように、あくまで祈願・祈念する人が携帯するものであって、縁結びの祈願・祈念の想いを縁結びを希望する相手に届けることはできないという問題がある。
【先行技術文献】
【特許文献】
【０００３】
【特許文献１】実用新案登録第３０９４０１２号公報
【０００４】
また、縁結びの祈願・祈念の想いを相手に届けるために、仮に特許文献１の携帯用パソコン用立体シール型お守りを利用して履歴書等に貼付して届けると、立体シール型の御守が企業・団体・学校の担当者に見られてしまうという問題がある。
【考案の概要】
【考案が解決しようとする課題】
【０００５】
そこで、本考案は、このような問題点を解決するためになされたものであって、就職・入学志願者等の縁結びの祈願・祈念の想いを、外見上見えない態様で、縁結びを志願する企業・団体・学校等に届けることができる、御守付き両面シール、貼付用御守付きシールおよび貼付用御守シール付きハガキまたは封筒を提供することを目的としている。
【課題を解決するための手段】
【０００６】
本考案にかかる御守付き両面シールは、接着剤が両面に塗布された接着部を有する両面シールであって、前記両面シールの片面または両面に縁結び等の願い事の祈願・祈念に係わる文字および／または絵柄が表示されている御守部を備えている。
【０００７】
また、本考案にかかる写真貼付用御守付き両面シールは、履歴書等に写真を貼るために接着剤が両面に塗布された接着部を有する両面シールであって、前記両面シールの片面または両面に縁結び等の願い事の祈願・祈念に係わる文字および／または絵柄が表示されている御守部を備えている。
【０００８】
さらに、本考案にかかる切手貼付用御守付き両面シールは、ハガキまたは封筒に切手を貼るために接着剤が両面に塗布された接着部を有する両面シールであって、前記両面シールの片面または両面に縁結び等の願い事の祈願・祈念に係わる文字および／または絵柄が表示されている御守部を備えている。
【０００９】
また、本考案にかかる貼付用御守付きシールは、感光紙等の写真印刷用紙の裏面に縁結び等の願い事の祈願・祈念に係わる文字および／または絵柄が表示されている御守部を設け、前記御守部の上に接着剤を塗布した接着部を設け、前記接着部が剥離紙で覆われている。
【００１０】
さらに、本考案にかかる貼付用御守シール付きハガキまたは封筒は、ハガキまたは封筒の切手貼付部に縁結び等の願い事の祈願・祈念に係わる文字および／または絵柄が表示されている御守部を設け、前記御守部の上に接着剤を塗布した接着部を設け、前記接着部が剥離紙で覆われている。
【考案の効果】
【００１１】
本考案の御守付き両面シール、貼付用御守付きシールおよび貼付用御守シール付きハガキまたは封筒によれば、就職・入学志願者等の縁結びの祈願・祈念の想いを、外見上見えない態様で、縁結びを志願する企業・団体・学校等に届けることができる。
【図面の簡単な説明】
【００１２】
【図１】本実施形態の御守付き両面シールの一実施形態を示す平面図である。
【図２】（ａ）は図１の写真貼付用御守付き両面シールに剥離紙が貼付された状態から剥離紙を剥がす状態を示す図、（ｂ）は剥離紙を剥がした写真貼付用御守付き両面シールを履歴書・願書に貼付した後、写真を貼付する状態を示す図である。
【図３】（ａ）は図２（ａ）のＡ−Ａ線拡大断面図、（ｂ）は図２（ｂ）のＢ−Ｂ線拡大断面図である。
【図４】本実施形態の貼付用御守付きシールの一実施形態を示す平面図である。
【図５】図４のＣ−Ｃ線拡大断面図である。
【図６】本実施形態の貼付用御守シール付きハガキまたは封筒の一実施形態を示す平面図である。
【図７】図６のＤ−Ｄ線拡大断面図である。
【考案を実施するための形態】
【００１３】
以下、本考案に係る御守付き両面シール、貼付用御守付きシールおよび貼付用御守シール付きハガキまたは封筒の一実施形態について図面を用いて説明する。
【００１４】
なお、本考案において、シールとは、裏面または両面の全部又は一部に粘着材を塗布したシート状のものであって、樹脂製や紙製等のあらゆる素材により構成されているものを含む概念である。願い事とは、就職や入学に際しての企業・団体・会社との縁結びの願いのほか、恋愛、結婚、友人等の縁結びの願い、事業や学業の成功に関する願い、くじなどの当選に関する願いなどのあらゆる願い事を含む概念である。祈願とは願い事が成就するよう祈り願うこと、祈念とは願いがかなうように祈ることであって、祈願・祈念は、神社、仏閣だけでなく、建造物、自然物、現象等あらゆるものに対して祈ることを含む概念である。
【００１５】
また、写真印刷用紙とは、印画紙等の感光塗料が塗られた感光紙のほか、感光塗料が塗られていない紙であって写真が印刷可能な紙を含み、インクジェット印刷やレーザー印刷など印刷方法を問わない概念である。ハガキ・封筒とは、あらゆる形状を含み、また、紙に限らずあらゆる素材により構成されているものを含む概念である。
【００１６】
第１実施形態：「御守付き両面シール」
本第１実施形態における御守付き両面シール１ａは、図１ないし図３に示すように、主として、シール基材２と、御守部３、粘着部４ａ，４ｂで構成されており、本第１実施形態においては、粘着部４ａ，４ｂは剥離紙５ａ，５ｂで覆われている。以下、各構成について説明する。
【００１７】
シール基材２は、御守部３および粘着部４ａ，４ｂの土台となるものである。シール基材２の形状・大きさは、写真、履歴書・願書の写真欄、切手や切手欄の形状・大きさ等の貼付位置に応じてに適宜変更される。また、シール基材２の材質は、御守部３が印刷ないし記載可能であって、接着剤を塗布して粘着部４ａ，４ｂを形成することができるものであればよく、本第１実施形態では紙で構成されている。
【００１８】
御守部３は、願い事に関する文字や縁起物の絵柄を印刷ないし記載その他の方法によって表示するためのものであり、シール基材２の表面に設けられている。御守部３に表示される文字や絵柄は願い事や縁起物に応じて適宜変更可能であり、色やデザインも適宜変更可能である。
【００１９】
粘着部４ａ，４ｂは、本第１実施形態の御守付き両面シール１ａを写真および履歴書、切手等に接着させるためのものであり、シール基材２の表面の御守部３の上およびシール基材２の裏面に設けられる。粘着部４ａ，４ｂの形状および大きさは、写真（切手）６および履歴書・願書（ハガキ・封筒）７から剥離・脱落しないものであればよく、本実施形態では、シール基材２の表面や裏面の全面となっているが、シール基材２の表面や裏面の一部であってもよく、その形状も適宜変更可能である。粘着部４ａ，４ｂは、主に粘着材で構成されており、当該粘着材は御守付き両面シール１ａが写真（切手）６および履歴書・願書（ハガキ・封筒）７から剥離・脱落しない粘着力を有するものであればよい。例えば、シリコン系粘着材が挙げられるが、シール基材２、写真（切手）６および履歴書・願書（ハガキ・封筒）７の材質によって適宜変更可能である。
【００２０】
剥離紙５ａ，５ｂは、粘着部４ａ，４ｂを覆って、粘着部４ａ，４ｂを接着させないようにするためのものであり、粘着部４の上に貼付される。剥離紙５ａ，５ｂの形状および大きさは粘着部４ａ，４ｂを覆うものであればよく、本第１実施形態では粘着部４ａ，４ｂがシール基材２の表面および裏面の全面に設けられているため、シール基材２と同じ形状であるが、粘着部４ａ，４ｂの形状および大きさに応じて適宜変更可能である。
【００２１】
第２実施形態：「貼付用御守付きシール」
本発明の第２実施形態として貼付用御守付きシール１ｂについて説明する。なお、上述した第１実施形態で説明した構成と同一ないし同等な構成に関する再度の説明は省略する。
【００２２】
本第２実施形態の貼付用御守付きシール１ｂは、図４および図５に示すように、主として、写真印刷用紙８と、御守部３、粘着部４ｂとから構成されており、本第２実施形態においては、粘着部４ｂは剥離紙５ｂで覆われている。
【００２３】
写真印刷用紙８は、御守部３および粘着部４ｂの土台となるものである。写真印刷用紙８の形状・大きさは、写真、履歴書や願書の写真欄の形状・大きさに応じてに適宜変更される。また、写真印刷用紙８の材質は、写真および御守部３が印刷ないし記載可能であって、接着剤を塗布して粘着部４ｂを形成し、履歴書等に貼付することができるものであればよく、本実施形態では感光塗料が塗られた感光紙で構成されている。
【００２４】
御守部３は、写真印刷用紙８の裏面に印刷ないし記載その他の方法により表示されており、御守部３の上に粘着部４ｂが設けられる。
【００２５】
第３実施形態：「貼付用御守シール付きハガキまたは封筒」
本発明の第３実施形態として貼付用御守シール付きハガキまたは封筒１ｃについて説明する。なお、上述した第１実施形態および第２実施形態において既に説明した構成と同一ないし同等の構成については再度の説明を省略する。
【００２６】
本第３実施形態の貼付用御守シール付きハガキまたは封筒１ｃは、図６および図７に示すように、主として、切手貼付部９を有するハガキ・封筒７と、御守部３、粘着部４ａとから構成されており、本実施形態においては、粘着部４ａは剥離紙５ａで覆われている。
【００２７】
ハガキ・封筒７は、御守部３および粘着部４ａの土台となるものである。ハガキ・封筒７は、切手貼付部９を備えており、通常は矩形であるが、形状や大きさは適宜変更される。また、ハガキ・封筒７の材質は、御守部３が印刷ないし記載可能であって、接着剤を塗布して粘着部４ａを形成することができるものであればよく、本実施形態では紙で構成されている。
【００２８】
切手貼付部９は、切手を貼付するためのものであって、ハガキ・封筒７の表面または裏面に設けられる。切手貼付部９の形状・大きさは切手の形状・大きさに応じて適宜変更される。
【００２９】
御守部３は、切手貼付部９に印刷ないし記載その他の方法により表示されており、前記御守部３の上に粘着部４ａが設けられる。
【００３０】
つぎに、本実施形態に係る御守付き両面シール１ａ、貼付用御守付きシール１ｂおよび貼付用御守シール付きハガキまたは封筒１ｃによる作用について、図１ないし図７を参照しつつ説明する。なお、御守付き両面シール１ａについては、写真貼付用御守付き両面シールとして使用した場合と、切手貼付用御守付き両面シールとして使用した場合とに分けて説明する。
【００３１】
「写真貼付用御守付き両面シール」
本第１実施形態の御守付き両面シール１ａを写真貼付用御守付き両面シールとして使用する場合、剥離紙５ａを剥がし、粘着部４ａによって写真６を接着させる。つぎに、剥離紙５ｂを剥がし、粘着部４ｂによって履歴書・願書７に接着させる。これにより、御守部３が写真６によって見えなくなり、外見上、御守部３が見えない状態で、就職・入学志願者の縁結びの祈願・祈念の想いを縁結びを志願する企業・団体・学校に届けることができる。
【００３２】
「切手貼付用御守付き両面シール」
本第１実施形態の御守付き両面シール１ａを切手貼付用御守付き両面シールとして使用する場合、剥離紙５ａを剥がし、粘着部４ａによって切手６を接着させる。つぎに、剥離紙５ｂを剥がし、粘着部４ｂによってハガキ・封筒７の切手貼付部１０に接着させる。これにより、御守部３が切手６によって見えなくなり、外見上、御守部３が見えない状態で、履歴書等を送付する封筒、結婚式の出欠ハガキや懸賞の応募に使用するハガキ等に、縁結びや当選に関する想いを志願先や応募先等に届けることができる。
【００３３】
「貼付用御守付きシール」
本第２実施形態の貼付用御守付きシール１ｂを使用する場合、貼付用御守付きシール１ｂに写真を印刷した後、剥離紙５ｂを剥がし、粘着部４ｂによって履歴書・願書７に接着させる。これにより、御守部３が履歴書・願書７によって見えなくなり、外見上、御守部３が見えない状態で、就職・入学志願者の縁結びの祈願・祈念の想いを縁結びを志願する企業・団体・学校に届けることができる。
【００３４】
「貼付用御守シール付きハガキまたは封筒」
本第３実施形態の貼付用御守シール付きハガキまたは封筒１ｃを使用する場合、剥離紙５ａを剥がし、粘着部４ａによって切手６に接着させる。これにより、御守部３が切手６によって見えなくなり、外見上、御守部３が見えない状態で、縁結びや当選に関する想いを志願先や応募先等に届けることができる。
【００３５】
上述した本各実施形態に係る御守付き両面シール１ａ、貼付用御守付きシール１ｂおよび貼付用御守シール付きハガキまたは封筒１ｃは、使用前にご利益のある神社、仏閣、自然物、建造物等において祈祷されることが望ましい。祈祷された本各実施形態に係る御守付き両面シール１ａ、貼付用御守付きシール１ｂおよび貼付用御守シール付きハガキまたは封筒１ｃを使用する就職・入学志願者は、遠方であったり時間がないなどの理由で直接お参りができない神社、仏閣、自然物、建造物等のご利益を手軽に受けることができる。他方、神社、仏閣、自然物、建造物等は、本各実施形態に係る御守付き両面シール１ａ、貼付用御守付きシール１ｂおよび貼付用御守シール付きハガキまたは封筒１ｃを通じて、より多くの就職・入学志願者に知られることになるため、御守付き両面シール１ａ、貼付用御守付きシール１ｂおよび貼付用御守シール付きハガキまたは封筒１ｃは、神社、仏閣、自然物、建造物等が所在する地域の地域おこしのツールとして利用することができる。
【００３６】
また、本各実施形態に係る御守付き両面シール１ａ、貼付用御守付きシール１ｂおよび貼付用御守シール付きハガキまたは封筒１ｃは、自身や恋人、家族、ペット等の写真を貼り、メッセージカードに貼付して相手に送ったり、御守として携帯することもできる。
【００３７】
以上のように、本各実施形態によれば、就職・入学志願者等の縁結びの祈願・祈念の想いを、外見上見えない態様で、送付先の企業・団体・学校等に知られることなく、縁結びを希望する企業・団体・学校等に届けることができる。
【００３８】
なお、本考案に係る御守付き両面シール１ａ、貼付用御守付きシール１ｂおよび貼付用御守シール付きハガキまたは封筒１ｃは、前述した各実施形態に限定されるものではなく、適宜変更することができる。例えば、本実施態様においては、御守付き両面シール１ａの御守部３をシール基材２の表面側に設けたが、御守部３をシール基材２の裏面側ないし両面に設けてもよい。また、複数枚の切手がシート上に配置されてなる切手シートに対し、各切手の裏面に御守部が表示されるように構成してもよい。
【符号の説明】
【００３９】
１ａ  御守付き両面シール
１ｂ  貼付用御守付きシール
１ｃ  貼付用御守シール付きハガキまたは封筒
２  シール基材
３  御守部
４ａ  粘着部
４ｂ  粘着部
５ａ  剥離紙
５ｂ  剥離紙
６  写真（切手）
７  履歴書・願書（ハガキ・封筒）
８  写真印刷用紙
９  切手貼付部